(57)【要約】【課題】ペダル操作をスムーズに行えるブレーキペダルパッドを提供する。【解決手段】踏面１０を有するブレーキペダルパッド１であって、ブレーキペダルパッド１における車両幅方向の中央を通るように車両前後方向に沿って直線状の仮想線２を引いたとき、踏面１０は、仮想線２よりも車両幅方向右側でかつブレーキペダルパッド１よりも車両後方側に設定される点を中心Ｏとして設けられる円弧状の第一溝部１１を備える。更に、第一溝部１１に交差する第二溝部１２を備える。【選択図】図１
2020138669.tif 000002
【特許請求の範囲】
【請求項１】
踏面を有するブレーキペダルパッドであって、
前記ブレーキペダルパッドにおける車両幅方向の中央を通るように車両前後方向に沿って直線状の仮想線を引いたとき、
前記踏面は、前記仮想線よりも車両幅方向右側でかつ前記ブレーキペダルパッドよりも車両後方側に設定される点を中心として設けられる円弧状の第一溝部を備える、
ブレーキペダルパッド。
【請求項２】
前記第一溝部に交差する第二溝部を備える、請求項１に記載のブレーキペダルパッド。
【発明の詳細な説明】
【技術分野】
【０００１】
本発明は、ブレーキペダルパッドに関する。
【背景技術】
【０００２】
特許文献１には、運転者から見て踏面の右下側に、斜め右上がり方向の溝部が設けられた溝部領域と、溝部領域以外の左上側の全域に、複数の突起が設けられた突起部領域とを備えるペダルパッドが開示されている。
【先行技術文献】
【特許文献】
【０００３】
【特許文献１】特開２０１６−７１６１８号公報
【発明の概要】
【発明が解決しようとする課題】
【０００４】
特許文献１に記載のペダルパッドがブレーキペダルパッドである場合、アクセルペダルからブレーキペダルに踏み替える際、ブレーキペダルパッドに対して運転者の右足（例えば、右足の脛側中足点部）が溝部領域の溝と交差するような軌跡を描くため、踏み替え操作をスムーズに行い難い。また、特許文献１に記載のペダルパッドでは、突起部領域における運転者の靴底（足裏）の長手方向に交差する方向の長さが短いことにより、運転者の足裏が滑り易い。
【０００５】
そこで、本発明の目的の一つは、ペダル操作をスムーズに行えるブレーキペダルパッドを提供することにある。
【課題を解決するための手段】
【０００６】
本発明の一態様に係るブレーキペダルパッドは、踏面を有するブレーキペダルパッドであって、前記ブレーキペダルパッドにおける車両幅方向の中央を通るように車両前後方向に沿って直線状の仮想線を引いたとき、前記踏面は、前記仮想線よりも車両幅方向右側でかつ前記ブレーキペダルパッドよりも車両後方側に設定される点を中心として設けられる円弧状の第一溝部を備える。
【０００７】
上記ブレーキペダルパッドの一例として、前記第一溝部に交差する第二溝部を備える形態が挙げられる。
【発明の効果】
【０００８】
上記ブレーキペダルパッドは、円弧状の第一溝部を備える。第一溝部は、アクセルペダルからブレーキペダルに踏み替える際の運転者の右足の軌跡にほぼ沿った円弧状に設けられている。よって、上記ブレーキペダルパッドによれば、アクセルペダルからブレーキペダルへ踏み替える際、運転者の足裏に対して足裏の幅方向へ適度な滑りを付与できる。この適度な滑りによって、アクセルペダルからブレーキペダルへの踏み替え操作をスムーズに行える。第一溝部の円弧は、ブレーキペダルを踏み込む際の運転者の足裏の長手方向に交差する方向に沿うことになる。そのため、上記ブレーキペダルパッドによれば、ブレーキペダルを踏み込む際、運転者の足裏に対して足裏の長手方向へ適度な摩擦を付与できる。この適度な摩擦によって、ブレーキペダルの踏み込み時に運転者の足裏が滑ることを抑制できる。以上より、上記ブレーキペダルパッドは、ペダル操作をスムーズに行うことができる。
【０００９】
上記ブレーキペダルパッドは、第一溝部に加えて第二溝部を備えることで、更にペダル操作をスムーズに行うことができる。第二溝部は、第一溝部に交差するように設けられている。よって、第二溝部を備えるブレーキペダルパッドによれば、アクセルペダルからブレーキペダルへ踏み替える際、運転者の足裏に対して足裏の幅方向へ適度な摩擦を付与できる。この適度な摩擦によって、運転者の足裏がブレーキペダルパッドの踏面上の好適な位置で止まり易くできる。第二溝部は、第一溝部に交差することにより、ブレーキペダルを踏み込む際の運転者の足裏の長手方向にほぼ沿うことになる。そのため、第二溝部を備えるブレーキペダルパッドによれば、第一溝部によって、ブレーキペダルを踏み込む際の運転者の足裏に適度な摩擦を与えつつ、第二溝部によって、運転者の足裏に適度な滑り性を与えることで、ブレーキペダルの踏み込み操作をスムーズに行うことができる。
【図面の簡単な説明】
【００１０】
【図１】図１は、実施形態のブレーキペダルパッドを示す正面図である。
【発明を実施するための形態】
【００１１】
本発明の実施形態のブレーキペダルパッドを、図１を参照して説明する。なお、以下の説明において、「前」、「後」、「右」、「左」とは、車両の正面を「前」とし、これを基準とする方向を意味し、図中、矢印ＦＲは車両前後方向の前側、矢印ＲＲは後側、矢印ＲＨは車両左右方向（車両幅方向）の右側、矢印ＬＨは左側を示す。
【００１２】
図１では、ブレーキペダルパッド１が装着されたブレーキペダル１００を図示する。図１は、ブレーキペダル１００を平面方向から見た図である。ブレーキペダル１００の平面方向とは、ブレーキペダル１００における車両幅方向の中心線と車両前後方向の中心線との交点に対する法線方向のことである。また、図１では、ブレーキペダル１００の車両幅方向の右側にアクセルペダル２００を図示する。更に、図１では、アクセルペダル２００を操作する際の運転者の右足３００を二点鎖線で示す。この例では、成人の日本人男性のうち平均的な身長を有する日本人男性（以下、５０％の体格モデルの日本人男性と呼ぶ）の右足を例に説明する。
【００１３】
実施形態のブレーキペダルパッド１は、踏面１０に第一溝部１１を備える。この例でのブレーキペダルパッド１は、更に、踏面１０に第二溝部１２を備える。踏面１０は、表面側が凸となる湾曲面である。
【００１４】
〔第一溝部〕
第一溝部１１は、円弧状の溝である。この円弧は、ブレーキペダルパッド１における車両幅方向の中央を通るように車両前後方向に沿って直線状の仮想線２を引いたとき、仮想線２よりも車両幅方向右側でかつブレーキペダルパッド１よりも車両後方側に設定される点を中心Ｏとして設けられる。仮想線２よりも車両幅方向右側とは、アクセルペダル２００側である。車両幅方向に見たとき、中心Ｏは、更に、ブレーキペダルパッド１（ブレーキペダル１００）の右側の縁部よりも車両幅方向右側に設定されることが挙げられる。また、中心Ｏは、アクセルペダル２００における車両幅方向の中央を通るように車両前後方向に沿って直線状の仮想線を引くと、ブレーキペダルパッド１（ブレーキペダル１００）の仮想線２と、アクセルペダル２００の仮想線とを結ぶ線分の中間点よりも車両幅方向右側に設定されることが挙げられる。一方、中心Ｏは、アクセルペダル２００の左側の縁部よりも車両幅方向左側に設定されることが挙げられる。また、中心Ｏは、ブレーキペダルパッド１（ブレーキペダル１００）の右側の縁部と、アクセルペダル２００の左側の縁部とを結ぶ線分の中間点よりも車両幅方向左側に設定されることが挙げられる。車両前後方向に見たとき、中心Ｏは、ブレーキペダルパッド１（ブレーキペダル１００）の車両前後方向の中央を通るように車両幅方向に沿って直線状の仮想線を引くと、この仮想線から所定長さの±１０％程度の範囲に設定されることが挙げられる。上記所定長さとは、運転者の右足３００における踵部から脛側中足点部までの中足骨長である。
【００１５】
第一溝部１１は、１本でもよいし、２本以上でもよい。第一溝部１１の円弧状は、以下の二通りのいずれかにより設定される。
【００１６】
（１）アクセルペダル２００を操作する際の運転者の右足３００における踵部と脛側中足点部とを結ぶ線分３の長さを半径、及びそのときの踵部の位置を中心Ｏとする。中心Ｏを基点に運転者の右足３００を回転させる。このときの運転者の右足３００における脛側中足点部による軌跡４を基準とする。この形態は、運転者の右足３００の踵部を固定した状態でアクセルペダル２００からブレーキペダル１００に踏み替える場合を想定している。
【００１７】
（２）アクセルペダル２００を操作する際の運転者の右足３００における脛側中足点部に対応するアクセル側の固定点と、ブレーキペダル１００を操作する際の運転者の右足３００における脛側中足点部に対応するブレーキ側の固定点とは、統計的にある程度決められる。よって、統計的に予測されるアクセル側の固定点とブレーキ側の固定点とを予め決める。アクセルペダル２００を操作する際の運転者の右足３００における踵部と脛側中足点部とを結ぶ線分３の長さを半径とし、運転者の右足３００の脛側中足点部が上記アクセル側の固定点とブレーキ側の固定点とを通るように円弧を描く。この円弧（運転者の右足３００の脛側中足点部による軌跡４）を基準とする。この形態は、運転者の右足３００の踵部を浮かせた状態でアクセルペダル２００からブレーキペダル１００に踏み替える場合を想定している。本例では、この形態を用いて第一溝部１１を設定している。
【００１８】
第一溝部１１は、上記（１）又は（２）により設定された軌跡４と同心円の円弧状の溝である。複数の第一溝部１１を備える場合、軌跡４と同心円の円弧状の溝を複数設ければよい。
【００１９】
第一溝部１１は、アクセルペダル２００からブレーキペダル１００に踏み替える際の運転者の右足３００（踵部からつま先までの範囲）の軌跡をブレーキペダルパッド１に投影した領域（以下、投影領域と呼ぶ）に設けられる。第一溝部１１は、少なくとも投影領域に設けられていればよく、投影領域以外にも設けられていてもよい。この例では、複数の第一溝部１１が、ブレーキペダルパッド１の踏面１０全域にわたって設けられている。
【００２０】
第一溝部１１の半径は、９０ｍｍ以上３３０ｍｍ以下であることが挙げられる。第一溝部１１の半径は、例えば、運転者の右足３００における踵部から脛側中足点部までの中足骨長を基準とする。具体的には、５０％の体格モデルの日本人男性の右足を用いた場合、１８８ｍｍを基準とする。複数の第一溝部１１を備える場合、いずれの第一溝部１１も上記範囲を満たすことが好ましい。第一溝部１１の半径が上記範囲を満たすことで、ペダル操作のスムーズ性を向上し易い。第一溝部１１の半径は、更に１３０ｍｍ以上２５０ｍｍ以下、特に１６０ｍｍ以上２１０ｍｍ以下であることが挙げられる。
【００２１】
第一溝部１１の幅は、０．５ｍｍ以上１０ｍｍ以下であることが挙げられる。ここでの第一溝部１１の幅は、第一溝部１１の開口部の幅である。第一溝部１１の幅が０．５ｍｍ以上であることで、第一溝部１１の内部に石や水が詰まり難く、詰まったとしても排出し易い。一方、第一溝部１１の幅が１０ｍｍ以下であることで、ブレーキペダルパッド１と運転者の足裏との接触面積を確保し易い。第一溝部１１の幅は、更に１ｍｍ以上５ｍｍ以下、特に１．５ｍｍ以上３ｍｍ以下であることが挙げられる。
【００２２】
複数の第一溝部１１を備える場合、第一溝部１１は、等間隔に設けられてもよいし、間隔が異なる領域が設けられてもよい。隣り合う第一溝部１１間の間隔は、０．５ｍｍ以上１５０ｍｍ以下であることが挙げられる。ここでの第一溝部１１間の間隔は、隣り合う第一溝部１１の縁部同士の間隔である。上記間隔が０．５ｍｍ以上であることで、ブレーキペダルパッド１と運転者の足裏との接触面積を確保し易い。一方、上記間隔が１５０ｍｍ以下であることで、第一溝部１１の幅を確保し易く、第一溝部１１の内部に石や水が詰まり難く、詰まったとしても排出し易い。上記間隔は、更に４ｍｍ以上２０ｍｍ以下、特に６ｍｍ以上１０ｍｍ以下であることが挙げられる。
【００２３】
〔第二溝部〕
第二溝部１２は、第一溝部１１に交差する直線状の溝である。第二溝部１２は、１本でもよいし、２本以上でもよい。ブレーキペダル１００を操作する際、運転者の右足３００における脛側中足点部がブレーキペダル１００上に位置する点（固定点）は、統計的にある程度決められる。第二溝部１２は、例えば、ブレーキペダル１００を操作する際の運転者の右足３００における脛側中足点部が上記固定点にあるとし、そのときの運転者の右足３００の踵部と脛側中足点部とを結ぶ直線を基準とすることが挙げられる。第二溝部１２は、上記基準となる直線と平行の溝である。複数の第二溝部１２を備える場合、上記基準となる直線と平行の直線状の溝を複数設ければよい。
【００２４】
第二溝部１２は、第二溝部１２の延長線と仮想線２との角度（図１に示す角度θ）が０°超４５°以下を満たすように設けられることが挙げられる。上記角度θが上記範囲を満たすことで、ペダル操作のスムーズ性を向上し易い。上記角度θは、更に２°以上３５°以下、特に１０°以上２５°以下であることが挙げられる。
【００２５】
第二溝部１２の幅は、０．５ｍｍ以上１０ｍｍ以下であることが挙げられる。ここでの第二溝部１２の幅は、第二溝部１２の開口部の幅である。第二溝部１２の幅が０．５ｍｍ以上であることで、第二溝部１２の内部に石や水が詰まり難く、詰まったとしても排出し易い。一方、第二溝部１２の幅が１０ｍｍ以下であることで、ブレーキペダルパッド１と運転者の足裏との接触面積を確保し易い。第二溝部１２の幅は、更に１ｍｍ以上５ｍｍ以下、特に１．５ｍｍ以上３ｍｍ以下であることが挙げられる。
【００２６】
複数の第二溝部１２を備える場合、第二溝部１２は、等間隔に設けられてもよいし、間隔が異なる領域が設けられてもよい。隣り合う第二溝部１２間の間隔は、０．５ｍｍ以上１５０ｍｍ以下であることが挙げられる。ここでの第二溝部１２間の間隔は、隣り合う第二溝部１２の縁部同士の間隔である。上記間隔が０．５ｍｍ以上であることで、ブレーキペダルパッド１と運転者の足裏との接触面積を確保し易い。一方、上記間隔が１５０ｍｍ以下であることで、第二溝部１２の幅を確保し易く、第二溝部１２の内部に石や水が詰まり難く、詰まったとしても排出し易い。上記間隔は、更に４ｍｍ以上２０ｍｍ以下、特に６ｍｍ以上１０ｍｍ以下であることが挙げられる。
【００２７】
〔作用・効果〕
上記ブレーキペダルパッド１は、アクセルペダル２００からブレーキペダル１００に踏み替える際の運転者の右足３００の軌跡４にほぼ沿った円弧状の第一溝部１１を備える。そのため、運転者の右足３００が第一溝部１１に沿って動き易く、ペダルの踏み替え操作をスムーズに行える。一方で、第一溝部１１は、ブレーキペダル１００を操作する際には、ブレーキペダル１００を踏み込む際の運転者の足裏の長手方向（踵部からつま先に向かう方向）に交差する方向に沿うことになる。よって、ブレーキペダル１００を踏み込む際に運転者の右足３００の足裏に適度な摩擦を付与でき、運転者の足裏が滑ることを抑制できる。
【００２８】
上記ブレーキペダルパッド１は、第一溝部１１に交差する第二溝部１２を備える。この第二溝部１２は、第一溝部１１と主に相反する機能を有する。具体的には、第二溝部１２は、アクセルペダル２００からブレーキペダル１００に踏み替える際の運転者の右足３００の軌跡４に交差している。そのため、アクセルペダル２００からブレーキペダル１００に踏み替える際に運転者の右足３００が第二溝部１２に適度に引っ掛かり易い。また、第二溝部１２は、ブレーキペダル１００を踏み込む際には、ブレーキペダル１００を踏み込む際の運転者の足裏の長手方向に沿うことになる。よって、ブレーキペダル１００を踏み込む際に運転者の足裏が適度に滑り易い。
【００２９】
上記ブレーキペダルパッド１は、相反する機能を有する第一溝部１１及び第二溝部１２を備えることで、以下の効果を奏する。まず、アクセルペダル２００からブレーキペダル１００に踏み替える際は、第一溝部１１によって、ペダルの踏み替え操作をスムーズに行え、第二溝部１２によって、運転者の足裏がブレーキペダルパッド１の踏面１０上の好適な位置で止まり易くできる。次に、ブレーキペダル１００を踏み込む際は、第一溝部１１によって、運転者の足裏が滑り過ぎることを抑制し、第二溝部１２によって、踏み込み操作をスムーズに行える。
【００３０】
本発明はこれらの例示に限定されるものではなく、特許請求の範囲によって示され、特許請求の範囲と均等の意味及び範囲内でのすべての変更が含まれることが意図される。
【符号の説明】
【００３１】
１  ブレーキペダルパッド
１０  踏面
１１  第一溝部
１２  第二溝部
２  仮想線
３  線分
４  軌跡
１００  ブレーキペダル
２００  アクセルペダル
３００  運転者の右足
【図１】
2020138669.tif 000003